(57)【要約】【課題】トイガンのトリガーを引く際手ごたえを得ることができる、トイガンのギアボックスの改良構造の提供。【解決手段】本考案のトイガンのギアボックスは箱体を含み、前記箱体外側に複数の軸棒及び固定棒が設けられ、前記箱体内にトリガーセットが設置され、そのうち、前記トリガーセットが弾性部材に接続され、前記弾性部材の他端が推板に接続され、前記推板上に複数のスライド孔及び当接端が設けられ、前記スライド孔は前記軸棒と相互に接続されると共に、前記推板の横に抵抗片が設置され、前記抵抗片上に複数の固定孔及び抵抗ピンが設けられ、前記固定孔が前記固定棒と相互に結合され、前記抵抗ピンが前記当接端に接触して、前記推板と抵抗片間に抵抗力が形成され、トイガンのトリガーを引くと前記推板がスライド移動して前記抵抗片を超えるときに本物の銃のトリガーのような引っ掛かり感を得ることを特徴とする。【選択図】図１
0003121072.tif 000002
【実用新案登録請求の範囲】
【請求項１】
トイガンのギアボックスであって、箱体を含み、前記箱体外側に複数の軸棒及び固定棒が設けられ、前記箱体内にトリガーセットが設置され、そのうち、前記トリガーセットが弾性部材に接続され、前記弾性部材の他端が推板に接続され、前記推板上に複数のスライド孔及び当接端が設けられ、前記スライド孔は前記軸棒と相互に接続されると共に、前記推板の横に抵抗片が設置され、前記抵抗片上に複数の固定孔及び抵抗ピンが設けられ、前記固定孔が前記固定棒と相互に結合され、前記抵抗ピンが前記当接端に接触して、前記推板と抵抗片間に抵抗力が形成され、トイガンのトリガーを引くと前記推板がスライド移動して前記抵抗片を超えるときに本物の銃のトリガーのような引っ掛かり感を得ることを特徴とする、トイガンのギアボックスの改良構造。
【請求項２】
前記弾性部材がバネ、接続棒、弾性ゴム及び弾性を備えた関連装置または材質である、請求項１に記載のトイガンのギアボックスの改良構造。
【考案の詳細な説明】
【技術分野】
【０００１】
本考案はトイガンのギアボックスの改良構造に関し、詳細には、抵抗ピンと当接端の接触を利用して推板と抵抗片間に抵抗力を形成し、トリガーを引き推板が抵抗片をスライド移動するとき、本物の銃のトリガーのような引っ掛かり感を得ることができるトイガンのギアボックスの改良構造に関する。
【背景技術】
【０００２】
現在トイガンはすでにあちこちで見られるものとなっており、百貨店や専門店、インターネットサイトなどでトイガンの展示と販売が行われている。一般的な従来のトイガンは、外観上は皆本物らしく見せることができるが、実際に使用するとき本当の銃のようなトリガーの手ごたえを感じることができない。
【０００３】
また、現今のアウトドアで行うサバイバルゲームはすでに大衆が好むレクリエーションの一つとなっており、プレーヤーたちは本物の銃のような射撃の手ごたえを求めており、トリガーを引くという動作は欠かすことのできないポイントとなっている。
【０００４】
このため、いかに上述の問題を排除するかが、本考案の解決する技術的問題である。
【考案の開示】
【考案が解決しようとする課題】
【０００５】
本考案の目的は、トイガンのトリガーを引くときに手ごたえを得ることができる、トイガンのギアボックスの改良構造を提供することにある。
【課題を解決するための手段】
【０００６】
本考案のトイガンのギアボックスは箱体を含み、前記箱体外側に複数の軸棒及び固定棒が設けられ、前記箱体内にトリガーセットが設置され、そのうち、前記トリガーセットが弾性部材に接続され、前記弾性部材の他端が推板に接続され、前記推板上に複数のスライド孔及び当接端が設けられ、前記スライド孔は前記軸棒と相互に接続されると共に、前記推板の横に抵抗片が設置され、前記抵抗片上に複数の固定孔及び抵抗ピンが設けられ、前記固定孔が前記固定棒と相互に結合され、前記抵抗ピンが前記当接端に接触して、前記推板と抵抗片間に抵抗力が形成され、トイガンのトリガーを引くと前記推板がスライド移動して前記抵抗片を超えるときに本物の銃のトリガーのような引っ掛かり感を得ることを特徴とする。
【考案の効果】
【０００７】
本考案の進歩性と実用性をよりはっきりと示すため、以下、従来品と比較して分析する。
《従来品の欠点》
一、トリガーを引くときに本物の銃のような手ごたえが得られない。
二、発射前と発射後の判断がしにくい。
《本考案の利点》
一、推板と抵抗片間に抵抗力が形成される。
二、トリガーを引くとき本物の銃のような手ごたえが得られる。
三、トイガンの発射前と発射後の判断がしやすい。
四、進歩性と実用性を備えている。
五、産業的競争力を向上することができる。        
【考案を実施するための最良の形態】
【０００８】
以下、本考案について図面と符号、実施例に基づき詳細に説明する。本考案はトイガンのギアボックスの改良構造を提供するものであり、図１に示すように、ギアボックスＡは箱体Ｂ、トリガーセットＣ、弾性部材Ｄ、推板Ｅ及び抵抗片Ｆを含み、前記箱体Ｂ内に前記トリガーセットＣが設置され、前記トリガーセットＣが前記弾性部材Ｄの一端に接続され、前記弾性部材Ｄの他端が前記推板Ｅに接続されると共に、前記推板Ｅの横に前記抵抗片Ｆが設置される。
【０００９】
前記箱体Ｂ上には複数の軸棒Ｂ１及び固定棒Ｂ２を設け、前記軸棒Ｂ１は係供と推板Ｅ上に設けた複数のスライド孔Ｅ１に接続され、前記スライド孔Ｅ１が前記軸棒Ｂ１上でスライド移動の動作を行うことができると共に、前記固定棒Ｂ２は前記抵抗片Ｆ上に設けた固定孔Ｆ１に結合される。前記推板Ｅ上には当接端Ｅ２を設け、前記当接端Ｅ２は前記抵抗片Ｆ上に設けた抵抗ピンＦ２に当たり、前記推板Ｅと抵抗片Ｆ間に抵抗力を生む。
【００１０】
本考案のトイガンのギアボックスの使用時には、図１Aから図５に示すように、トリガーを引くと、前記トリガーセットＣが弾性部材Ｄを動かし、この弾性部材Ｄが推板Ｅを一方向へ引き動かして前記スライド孔Ｅ１を介してこの推板Ｅを軸棒Ｂ１上でスライド移動させ、この推板Ｅは当接端Ｅ２が抵抗片Ｆの抵抗ピンＦ２により制限されるために抵抗力が生まれ、この当接端Ｅ２が抵抗ピンＦ２を越えてスライドされるとき、本物の銃のトリガーのような引っ掛かり感が得られる。
【００１１】
以上で述べた説明は本考案の最良の実施例に基づくものであり、本考案の特許範囲を制限するものではなく、本考案の明細書及び図面の内容を運用した同等効果を得る構造を直接的または間接的にその他関連技術領域に応用したものはすべて、本考案の要旨の範囲内に含まれるものとみなす。
【００１２】
上述のように、本考案は従来技術を打破する構造のもと、確実にその目的とする効果を得ることができ、また、関連技術を熟知したものでなくとも容易に理解できると共に、本考案はその出願以前に公開されたことがなく、その進歩性と実用性は実用新案登録出願の要件を満たしているため、法に基づきここに実用新案登録を出願するものである。
【図面の簡単な説明】
【００１３】
【図１】本考案の全体を示す平面図である。
【図１Ａ】本考案の部分拡大平面図である。
【図２】本考案の抵抗片と推板の動作を示す平面図１である。
【図３】本考案の抵抗片と推板の動作を示す平面図２である。
【図４】本考案の抵抗片と推板の動作を示す平面図３である。
【図５】本考案の動作を示す平面図４である。
【符号の説明】
【００１４】
Ａ        ギアボックス
Ｂ        箱体
Ｂ１      軸棒
Ｂ２      固定棒
Ｃ        トリガーセット
Ｄ        弾性部材
Ｅ        推板
Ｅ１      スライド孔
Ｅ２      当接端
Ｆ        抵抗片
Ｆ１      固定孔
Ｆ２      抵抗ピン
【図１】
0003121072.tif 000003
【図１Ａ】
0003121072.tif 000004
【図２】
0003121072.tif 000005
【図３】
0003121072.tif 000006
【図４】
0003121072.tif 000007
【図５】
0003121072.tif 000008